(57)【特許請求の範囲】
【請求項１】
紙製板材からなる基材の要所の折り曲げと貼り着けにより組み立てられる物品収納用紙製容器であって、
蓋部と底部からなり、少なくとも底部に物品の収納凹部を所要数備えており、
蓋部と底部を形成するシート状紙製基材に略環状の折線を設けると共に、該折線で囲まれる部分にその中心に向けて放射状となるよう切線を設けて、下方へ折り曲げ可能な略扇形状の支持片を複数備えた収納開口部を形成し、
且つ前記シート状紙製基材とは別体に形成した物品受け体を上記収納開口部に上方から挿入し、下方へ折り曲げた各支持片の先端側を物品受け体の周面部に貼り着け、各支持片で物品受け体を支持して上記収納凹部を形成し、
上記支持片が、基端側から先端側に向けて所定間隔ごとに折線を有し、収納凹部に収納される物品の大きさに応じて伸縮可能に形成されていることを特徴とする物品収納用紙製容器。
【請求項２】
上記物品受け体が、上記収納開口部の折線の輪郭とほぼ相似形の輪郭の平面形状をもって形成されており、底面部と、該底面部の外周に形成した折線に沿って立ち上がる周面部を有し、且つ該周面部には、その上縁から底面部の中心に向けて放射状に山折線を設けると共に、各山折線の左右両側に谷折線を設けて、その左右の谷折線の間に山折部を折り曲げ形成し、
さらにその山折部の山折角度が、収納凹部に収納される物品の大きさに応じて変更自在なよう、開き方向に弾力性を有して形成されていることを特徴とする請求項１記載の物品収納用紙製容器。
【請求項３】
上記支持片の先端部が、物品受け体の周面部における隣り合わせる山折部間に形成される平坦部に貼り着けられていることを特徴とする請求項２記載の物品収納用紙製容器。
【請求項４】
上記収納開口部が少なくとも底部において縦横に並んで複数形成され、物品受け体はその配列に対応して複数個連設されたものであることを特徴とする請求項１〜３の何れか１項記載の物品収納用紙製容器。
【請求項５】
上記収納凹部が蓋部と底部の双方において、相互に対応する個所に形成され、対応する上下の収納凹部間に物品が収納されるよう形成したことを特徴とする請求項１〜４の何れか１項記載の物品収納用紙製容器。
【請求項６】
上記収納凹部が底部のみに形成され、蓋部は下面を開放する箱状に形成されていることを特徴とする請求項１〜４の何れか１項記載の物品収納用紙製容器。
【請求項７】
平面視四角形状のシート状紙製基材の幅方向中央部に折線を設け、その中央折線で左右に区画されるシート状紙製基材の一側に蓋部を形成し、他側に底部を形成し、中央折線により蓋部と底部が開閉自在に連設されていることを特徴とする請求項１〜６の何れか１項記載の物品収納用紙製容器。
【請求項８】
上記収納凹部が各種サイズの鶏卵を収納可能に形成されていることを特徴とする請求項１〜７の何れか１項記載の物品収納用紙製容器。
【発明の詳細な説明】
【０００１】
【発明の属する技術分野】
本発明は、例えば鶏卵や、りんご，なし，もも，びわ，メロン等の果物などの物品を収納、保管、運搬、販売する際に用いる物品収納用の紙製容器に関する。
【０００２】
【従来の技術】
従来から、鶏卵を収納する容器として合成樹脂製パックやモールド成形された紙製パックが知られている。
これらパックは、内部に鶏卵を複数個収納可能な容器状をなし、蓋部と底部とを開閉自在に連設したもので、その蓋部と底部に、鶏卵を収納する収納凹部を対応する個所に複数設けてある。
【０００３】
処で、上記合成樹脂製パックは、使用後の廃棄処理に際して環境に対する悪影響が懸念され、且つリサイクルが困難である等の理由から、現在では使用が制限される方向になりつつある。また従来の紙製パックは、リサイクル性等に優れている反面、モールド成形のための作製コストが高くなるなどの問題がある。
さらにこれら従来の容器は、合成樹脂材料や古紙材料で一体成形されたものであり、収納凹部の大きさが一定なため、鶏卵のサイズ（通常S,M,L,LLの４種）別に数種のパックを形成する必要がある。
【０００４】
【発明が解決しようとする課題】
本発明はこの様な従来事情に鑑みてなされたもので、その目的とする処は、段ボール等の紙製板材を用いて要所の折り曲げと貼り着けにより簡単に組立てることができ、所定の強度を有すると共に物品のサイズに応じて収納凹部が適宜変形可能であり、特に鶏卵や、りんご，なし，もも，びわ，メロン等の果物などに好適に用いることができる紙製容器を提供することにある。
【０００５】
上記目的を達成するために本発明の請求項１は、紙製板材からなる基材の要所の折り曲げと貼り着けにより組み立てられる物品収納用紙製容器であって、
蓋部と底部からなり、少なくとも底部に物品の収納凹部を所要数備えており、
蓋部と底部を形成するシート状紙製基材に略環状の折線を設けると共に、該折線で囲まれる部分にその中心に向けて放射状となるよう切線を設けて、下方へ折り曲げ可能な略扇形状の支持片を複数備えた収納開口部を形成し、
且つ前記シート状紙製基材とは別体に形成した物品受け体を上記収納開口部に上方から挿入し、下方へ折り曲げた各支持片の先端側を物品受け体の周面部に貼り着け、各支持片で物品受け体を支持して上記収納凹部を形成したことを基本構成とする。
ここで、略環状の折線とは、平面視が略円形状，略三角形状，略四角形状，略五角形以上の多角形状の輪郭を持つものや、これら形状の輪郭の一部を備えないものを含む。
【０００６】
このような構成によれば、紙製板材の要所の折り曲げと貼り着けにより、鶏卵や、りんご，なし，もも，びわ，メロン等の果物などを所要数収納することができる所定強度の紙製容器を簡単に組立てることができる。
【０００７】
さらに本発明は、請求項１における支持片が、基端側から先端側に向けて所定間隔ごとに折線を有し、収納凹部に収納される物品の大きさに応じて伸縮可能に形成されていることを特徴とする。
【０００８】
このような構成によれば、収納凹部に収納される物品の大きさに応じて支持片が伸縮し、例えば鶏卵や、りんご，なし，もも，びわ，メロン等の果物のように、収穫物ごとに大きさが異なる物品の収納に好適に用いることができる。
【０００９】
請求項２では、請求項１における物品受け体が、上記収納開口部の折線の輪郭とほぼ相似形の輪郭の平面形状をもって形成されたもので、底面部と、該底面部の外周に形成した折線に沿って立ち上がる周面部を有し、且つ該周面部には、その上縁から底面部の中心に向けて放射状に山折線を設けると共に、各山折線の左右両側に谷折線を設けて、その左右の谷折線の間に山折部を折り曲げ形成し、さらにその山折部の山折角度が、収納凹部に収納される物品の大きさに応じて変更自在なよう、開き方向に弾力性を有して形成されていることを特徴とする。
【００１０】
請求項２によれば、収納凹部に収納される物品の大きさに応じて山折部の山折角度が増減し、物品受け体の収容容積が増減するので、例えば鶏卵や、りんご，なし，もも，びわ，メロン等の果物のように、収穫物ごとに大きさが異なる物品の収納に好適に用いることができ、特に請求項１と２の構成を同時に持つ場合に顕著な効果が得られる。
【００１１】
請求項３では、請求項２における支持片の先端部が、物品受け体の周面部における隣り合わせる山折部間に形成される平坦部に貼り着けられていることを特徴とする。
【００１２】
請求項３によれば、支持片と物品受け体との貼り着けを容易、確実に行うことができるので、容器の組立て作業を簡略化することができる。また、成形型を用いた紙製容器の自動組立てを容易になし得る。
【００１３】
請求項４では、請求項１〜３の何れかにおいて、収納開口部が少なくとも底部において縦横に並んで複数形成され、物品受け体はその配列に対応して複数個連設されたものであることを特徴とする。
【００１４】
請求項４によれば、収納開口部に対する物品受け体の貼り着けを複数個所で同時に行うことができるようになり、成形型を用いた容器の組立て作業の自動化，迅速化を図る上で有用である。また、物品受け体を複数形成する際の紙製板材使用量をできる限り少なくすることができる。
【００１５】
請求項５では、請求項１〜４の何れかにおいて、収納凹部が蓋部と底部の双方において、相互に対応する個所に形成され、対応する上下の収納凹部間に物品が収納されるよう形成したことを特徴とする。
【００１６】
請求項５によれば、蓋部と底部にそれぞれ収納凹部を有し、上下に対応する収納凹部間に物品を収納して該物品を確実に保護する状態で収納することができる。
【００１７】
請求項６では、請求項１〜４の何れかにおいて、収納凹部が底部のみに形成され、蓋部は下面を開放する箱状に形成されていることを特徴とする。
【００１８】
請求項６によれば、底部に設けた収納凹部に物品を収納し、蓋部は収納された物品の上方を保護する機能を果たし、且つ蓋部が箱状を呈するのでその表面に商品名，産地，賞味期限などの各種情報を表示することができる。
【００１９】
請求項７では、請求項１〜６の何れかにおいて、平面視四角形状のシート状紙製基材の幅方向中央部に折線を設け、その中央折線で左右に区画されるシート状紙製基材の一側に蓋部を形成し、他側に底部を形成し、中央折線により蓋部と底部が開閉自在に連設されていることを特徴とする。
【００２０】
請求項７によれば、一枚のシート状紙製基材により蓋部と底部が開閉自在に連設される構造となり、紙製板材の使用量をできる限り少なくすることができる。
【００２１】
請求項８では、請求項１〜７の何れかにおいて、収納凹部が各種サイズの鶏卵を収納可能に形成されていることを特徴とする。
【００２２】
請求項８によれば、鶏卵を収納するに好適な紙製容器を提供することができる。
【００２３】
【発明の実施の形態】
以下、本発明の実施形態として、鶏卵収納用の紙製容器に適用した例を図面に基づいて説明する。
図１〜図３に示す第一例の紙製容器は蓋部１と底部２からなり、これら蓋部１と底部２の双方に収納凹部３を複数備えている。
【００２４】
各収納凹部３は、各種サイズ（通常はS,M,L,LLの４サイズ）の鶏卵を収納可能に形成されている。また各収納凹部３は、蓋部１と底部２を形成する紙製基材ａに設けた複数の収納開口部１０に、この紙製基材ａとは別体に形成した物品受け体２０を取り付けてなる。
【００２５】
紙製基材ａは図４に示すように平面視四角形状のシート状のもので、その幅方向中央部に折線４を設け、その中央折線４で左右に区画されるシート状紙製基材ａの一側を蓋部１とし、他側を底部２としており、前記中央折線４により蓋部１と底部２が開閉自在に連設されている。
【００２６】
紙製基材ａはこの種技術分野において周知な紙製板材からなるもので、例えば所望の強度と耐久性，耐水性等を有する積層段ボール等からなる板紙を、図４（ａ）に示す形状に型抜きすると共に所定複数箇所に折線と切線を設けたもので、図示のように蓋部１と底部２の夫々において、横方向に三個の収納凹部３が縦方向二列に配置されるよう収納開口部１０を計６箇所に形成してある。
【００２７】
収納開口部１０は、紙製基材ａに略環状、本例では略八角形状の輪郭となるよう折線１１を設けると共に、該折線１１で囲まれる部分に、略八角形状の輪郭の夫々の頂点から中心に向けて放射状となるよう切線１２を複数設けて、左右に隣り合う切線１２，１２と折線１１で囲まれる部分に下方へ折り曲げ自在な略扇形状の支持片１３を形成している。
【００２８】
また本例では図示するように、横方向に三個の収納開口部１０（１０ａ，１０ｂ，１０ｃ）を連設状に形成しており、左右両側の収納開口部１０ａ，１０ｃにおいては、略八角形状の輪郭を呈する折線１１における最内端の辺部は支持片と共に形成せず、該部分を空隙１４ａとしている。また中央の収納開口部１０ｂにおいては、略八角形状の輪郭を呈する折線１１における左右の内端の辺部は支持片と共に形成せず、該部分を前記空隙１４ａに連なる空隙１４ｂ，１４ｂとしている。
また夫々の収納開口部１０の中心には、物品受け体２０を取り付ける際の位置合せとなる孔１５が、各支持片１３の先端縁により形成されている。
【００２９】
支持片１３は、その基端側（折線１１側）から先端側に向けて所定間隔ごとに折線１６，１７を設けることで、収納凹部３に収納される鶏卵の大きさに対応して伸縮可能に形成されている。
【００３０】
物品受け体２０は、上述の紙製基材ａと同質の紙製板材から打ち抜き成形された物品受け体用の紙製基材ｂ（図４(ｂ)参照）の要所の折り曲げにより形成される。
すなわち物品受け体２０は、収納開口部１０の折線１１の輪郭とほぼ相似形となる多角形状で且つ前記空隙１４ａ，１４ｂに対応する個所は空隙となる輪郭をもって形成されたもので、底面部２１と、この底面部２１の外周に形成した折線２２に沿って立ち上がる周面部２３を有し、該周面部２３には、その上縁から底面部２１中心に向けて放射状に山折線２４を設けると共に、各山折線２４の左右両側に谷折線２５，２５を設けて、その左右の谷折線２５，２５の間に山折部２６が折り曲げ形成されるようにしている。そうして各山折部２６は、その山折角度θが、収納凹部３に収納される鶏卵の大きさに対応して変更自在となるよう、開き方向に弾力性を有して形成されている。
【００３１】
物品受け体２０における隣り合わせる山折部２６，２６の間には、谷折線２５，２５で挟まれる平坦部２７が形成され、この平坦部２７に、対応する支持片１３の先端部を貼り着けるよう形成している。
【００３２】
また本例では図示するように、上述した収納開口部１０の配列に対応して横方向に三個の物品受け体２０（２０ａ，２０ｂ，２０ｃ）を連設状に形成しており、左右両側の物品受け体２０ａ，２０ｃは、前述の左右両側の収納開口部１０ａ，１０ｃの空隙１４ａと対応する個所に空隙２８ａを設け、中央の物品受け体２０ｂは、前述の中央の収納開口部１０ｂの空隙１４ｂ，１４ｂと対応する個所に空隙２８ｂ，２８ｂを設けてある。さらに隣り合う空隙２８ａ，２８ｂ部分に、物品受け体２０ａ,２０ｂ、２０ｂ，２０ｃ同士を連結する連結片２９，２９が、各物品受け体２０ａ〜２０ｃと一体に打ち抜き形成されている。
また各物品受け体２０ａ〜２０ｃの夫々の底面部２１には、対応する収納開口部１０への取付けの際に前述の孔１５と連通する位置合せ用の孔３０が形成されている。
【００３３】
上述した紙製基材ａと紙製基材ｂによる本例の紙製容器の組立てについて説明すれば、まず、一つの紙製基材ａに対して四つの紙製基材ｂを用意し、各々の紙製基材ｂにおける物品受け体２０ａ〜２０ｃが紙製基材ａの収納開口部１０ａ〜１０ｃに対応するよう、孔３０と孔１５の位置合せをしながら各紙製基材ｂを紙製基材ａ上に重ね合わせる。
この状態で、各紙製基材ｂにおける夫々の物品受け体２０を、底面部２１を中心にして下方へ押し込むことで、各物品受け体２０において、底面部２１の周囲に折線２２を境に周面部２３が立ち上がると共に、その周面部２３において、各山折線２４が山折り状態となると共にその両側の谷折線２５，２５が谷折状態となるよう山折部２６が折り曲げ形成され、物品受け体２０が組み立てられる。同時に、紙製基材ａにおいて、夫々の支持片１３が折線１１を境に下方へ折れ曲がると共に、夫々の支持片１３において折線１６が谷折状態、折線１７が山折状態に折れ曲がる。
さらに、各支持片１３の先端部１３ａを、前記物品受け体２０の隣り合せる山折部２６，２６間の平坦部２７に糊剤等で貼り着ける。糊剤としてはホットメルトを用い、該ホットメルトを予め前記先端部１３ａ又は平坦部２７に塗布しておき、これを加熱溶融した後に固化させるようにして前記貼り着け作業を行うことが好ましい。
上述した折り曲げから貼り着けに至る一連の作業は、成形型を用いて自動的に行うことが好ましい。
【００３４】
このようにして組み立てられた本例の紙製容器は、蓋部１と底部２の夫々の対応する複数箇所に、収納開口部１０と物品受け体２０からなる収納凹部３が形成され、対応する上下の収納凹部３，３に鶏卵が収納される（図１参照）。
夫々の収納凹部３は、物品受け体２０を収納開口部１０の各支持片１３で吊り下げ状に支持してなり、各支持片１３が折線１６，１７により伸縮可能であると共に、各物品受け体２０において、山折部２６における山折角度θが変更自在であるので、鶏卵のサイズ（通常はS,M,L,LLの４サイズ）に応じて各収納凹部３が個々に上下方向及び周方向へ伸縮変形する。
【００３５】
図５に示す第二例の紙製容器は、前述の第一例の紙製容器における収納凹部３を底部２のみに形成したものを示す。なお、この例において、第一例の紙製容器と同様の構成部分については図中に前記と同一の符号を付すなどして重複する説明を省略し、以下に相違点のみ説明する。
【００３６】
すなわちこの例では、蓋部１’は下面を開放する箱状に形成すると共に、底部２のみに収納凹部３を複数形成し、夫々の収納凹部３に鶏卵を収納すると共に、蓋部１’は各収納凹部３に収納された鶏卵の上方を保護する機能を果たすようにする。また蓋部１’が箱状を呈するので、その表面にラベルを貼って商品名，産地，賞味期限などの各種情報を表示したり、これら情報を蓋部１’の表面に直接印刷することができるようになる。
【００３７】
蓋部１’は、紙製基材ａ’の中央折線４で区画される一半側と、この紙製基材ａ’と同質の紙製板材から打ち抜き成形された紙製基材ｃからなる（図６参照）。これら紙製基材ａ’，ｃは前述の紙製基材ａと同様の紙製板材からなる。
紙製基材ａ’の一半側には、略四角形状の輪郭をもって折線４０を設けてその折線４０の外側に底部２との重ね縁４１を形成すると共に、折線４０の四角部分から中心開口部４２に向けて放射状となるよう切線４３を設けて、折線４０に沿って上方へ折り曲げ可能な略扇形状の側面板４４ａ，４４ｂ，４４ｃ，４４ｄを形成する。
夫々の側面板４４ａ〜４４ｄの先端側には折線４５を設けて、内側へ折り曲げ可能な貼着け片４６ａ〜４６ｄを形成し、紙製基材ｃからなる略四角形状の上面板ｃの四辺部位に対応する貼着け片４６ａ〜４６ｄを貼り着けるようにする。
【００３８】
そうして、この例の蓋部１’は、底部２との重ね縁４１の内側に、折線４０に沿って前後左右の側面板４４ａ〜４４ｄが立ち上がり、夫々の側面板４４ａ〜４４ｄの上端において内側に折れ曲がる貼着け片４６ａ〜４６ｄに上面板ｃを貼着けて、下面が開放する箱状に形成される。
【００３９】
以上、本発明に係る紙製容器の実施形態の二例を説明したが、本発明は図示例に限定されるものではなく、特許請求の範囲の各請求項に記載される技術的思想の範囲内において、種々の変更が可能であることは云うまでもない。
【００４０】
【発明の効果】
本発明の物品収納用紙製容器は以上のように構成したので、下記の効果を有する。
（請求項１）
紙製板材の要所の折り曲げと貼り着けにより簡単に組立てることができ、使用後の廃棄やリサイクルも容易で、且つ所望の保冷機能と耐久性，耐強度を有し、食品やその他の物品を収納して保管、運搬、販売する際に好適に用いることができる新規な紙製容器を提供することができた。
【００４１】
（請求項１，請求項２）
前記した効果に加え、物品の大きさに応じて収納凹部の収納容積が変化するので、例えば鶏卵や、りんご，なし，もも，びわ，メロン等の果物のように、収穫物ごとに大きさが異なる物品の収納に好適に用いることができる。
【００４２】
（請求項３）
請求項１、２の効果に加え、物品受け体に対する各支持片の貼り着けを容易且つ確実に行えるので、容器組立て作業の簡略化、自動化などに有用である。
【００４３】
（請求項４）
請求項１〜３の効果に加え、複数の収納開口部に対し複数の物品受け体を同時に貼り着けることが可能になり、容器組立て作業の自動化、迅速化などに有用である。また、物品受け体の成形において紙製板材使用量をできる限り少なくすることができ、製造コストの低減が期待できる。
【００４４】
（請求項５）
請求項１〜４の効果に加え、蓋部と底部に設けた上下の収納凹部により物品を確実に保護する状態で収納することができ、例えば鶏卵，もも，びわ，メロンのように、比較的取り扱いに注意を要する収穫物の収納容器として好適に用いることができる。
【００４５】
（請求項６）
請求項１〜４の効果に加え、底部に設けた収納凹部と蓋部により物品を確実に保護する状態で収納することができ、且つ蓋部表面に商品名，産地，賞味期限などの各種情報を表示することができるので、例えば有機栽培により得られた収穫物や比較的高価な果物などの収納容器として好適に用いることができる。
【００４６】
（請求項７）
請求項１〜６の効果に加え、紙製板材の使用量をできる限り少なくして、容器製造コストの低減を図ることができる。
【００４７】
（請求項８）
請求項１〜７の効果に加え、鶏卵を収納するに好適な紙製容器を提供することができる。
【図面の簡単な説明】
【図１】本発明の実施形態の一例を示す斜視図で、蓋部を開けた状態を表す。
【図２】蓋部を閉じた状態の縦断正面図。
【図３】蓋部を閉じた状態の縦断側面図。
【図４】紙製基材の平面図。
【図５】本発明の実施形態の他例を示す斜視図で、蓋部を開けた状態を表す。
【図６】紙製基材の平面図。
【符号の説明】
ａ，ａ’，ｂ，ｃ：紙製基材
１，１’：蓋部
２：底部
３：収納凹部
４：中央折線
１０：収納開口部
１１，１６，１７，２２：折線
１２，：切線
１３：支持片
１３ａ：先端部
２０：物品受け体
２１：底面部
２３：周面部
２４：山折線
２５：谷折線
２６：山折部
２７：平坦部
【図１】
0003542327.tif 000002
【図２】
0003542327.tif 000003
【図３】
0003542327.tif 000004
【図４】
0003542327.tif 000005
【図５】
0003542327.tif 000006
【図６】
0003542327.tif 000007